(57)【要約】【課題】異なる２方向から当接する遊技球により風車を異なる２方向に回転させ得るようにし、かつ一方向からの遊技球が風車に当接するタイミングで他方向からの遊技球が風車に当接した際の該風車の回転で、一方向の遊技球を押し戻して例えば特定領域に移動させ得るようにした弾球遊技機を提供する。【解決手段】転動板部材３５，３６を転がり移動する遊技球Ｂａが風車３３，３４の球受け板３３ｂ，３４ｂに当接した際の回転力より、球案内路４９ｂ，５０ｂを流下する遊技球Ｂａが球受け板３３ｂ，３４ｂに当接した際の回転力が大きくなるように設定した。これにより、異なる２方向から風車に向かって移動する遊技球の流れを常に作ることで、転動板部材を移動してきた遊技球を、球案内路を移動してきた遊技球の当接による風車の回転で始動チャッカー側に押し戻すようなタイミングを得ることができる。【選択図】図３
2010131141.tif 000002
【特許請求の範囲】
【請求項１】
遊技盤の遊技領域に、該遊技領域に打ち出された遊技球の流下状態に影響を与える風車を備えた弾球遊技機において、
前記遊技領域に打ち出された遊技球を前記風車に対し略々水平方向に導いて該風車に当接させて該風車を第１方向に回転させ得るように設けられた第１流路と、
前記遊技領域に打ち出された遊技球を前記風車に対し略々鉛直方向に導いて該風車に当接させて該風車を前記第１方向とは逆の第２方向に回転させ得るように設けられた第２流路と、を備え、
前記第１流路を転がり移動する第１の遊技球が前記風車の球受け板に当接した際の回転力より、前記第２流路を移動する第２の遊技球が前記風車の球受け板に当接した際の回転力が大きくなるように設定した、
ことを特徴とする弾球遊技機。
【請求項２】
前記遊技領域に、遊技者にとって有利な遊技状態への契機となる入球が行われる特定領域と、打ち出された遊技球を該特定領域に導くように誘導し得る遊技球案内手段と、を備え、
前記遊技球案内手段は、
前記特定領域に遊技球を案内するように設けられた案内部の少なくとも一側に前記風車を有し、
該風車と前記案内部との間に亘るように前記第１流路を有し、
該第１流路と略々直交する方向に延びて前記風車を前記第２方向に回転させ得るように前記第２流路を有してなり、
前記第１流路を転がり移動する前記第１の遊技球が前記風車の前記球受け板に当接したとき、前記第２流路を移動する前記第２の遊技球が前記風車の前記球受け板に当接すると、前記第１の遊技球が前記第１流路を逆流して前記特定領域に導かれるように振り分けられてなる、
請求項１記載の弾球遊技機。
【請求項３】
前記遊技球案内手段は、前記風車、前記第１流路、及び前記第２流路をベース部材に一体的に備えて構成されたユニット役物である、
請求項２記載の弾球遊技機。
【請求項４】
前記遊技球案内手段は、前記遊技盤の盤面に配置された前記風車及び前記第１流路と、前記盤面に打ち込まれた障害釘にて形成された前記第２流路とを備えて構成される、
請求項２記載の弾球遊技機。
【請求項５】
前記第１流路は、前記風車に向かって下降するように傾斜する第１傾斜面と、該第１傾斜面と前記案内部との間に位置し且つ該案内部に向かって下降するように傾斜する第２傾斜面とを備えて構成される、
請求項２ないし４のいずれか１項記載の弾球遊技機。
【発明の詳細な説明】
【技術分野】
【０００１】
本発明は、パチンコ機等の弾球遊技機に係り、詳しくは、止め打ちを抑止可能にし得る遊技球案内手段を備えた弾球遊技機に関する。
【背景技術】
【０００２】
一般に、弾球遊技機、例えばパチンコ機として、球受け皿に滞留している遊技球が、発射ハンドルの操作に応じて遊技盤の遊技領域に打ち出された後、遊技領域の障害釘や風車等に導かれつつ盤面を流下して、各種入賞口に入球し、或いは入球せずに遊技盤下部のアウト口に流入するように構成されたものが知られている（特許文献１参照）。
【０００３】
このようなパチンコ機では、一般入賞口に入球した際にそれに対応した個数の遊技球が払い出され、また始動チャッカーに入球した際にはこれに基づいて大当たり抽選が行われると共に所定数の遊技球が払い出され、当該抽選の結果に応じて、例えば遊技盤の中央部分に設けられた液晶等の画像表示装置の画面上で複数の変動図柄（多くは３つの変動図柄）の変動・停止に関する演出表示が行われる。大当たりの発生時には、アタッカーと呼ばれる大入賞口が開放し、入球に対応して多量の遊技球が払い出される状態となる。
【０００４】
上記のようなパチンコ機において、遊技球の落下方向を変化させる構成を備えたものが知られている（特許文献２参照）。該特許文献２記載のパチンコ機では、遊技球の流下方向の変更に要する構造が大型化するという問題を解消する観点から、風車の羽根部を径方向において曲げることで球受け部と球反発部を備えた風車として構成し、球受け部にて遊技球を受けた状態で風車が回転した場合には遊技球を長く風車に絡ませるようにし、また、球反発部にて遊技球を受けた状態で風車が回転した場合には該風車に絡むことなく弾くようにする。
【０００５】
また、風車による振り分け方向を規制し得るようにした遊技球誘導装置を備えたパチンコ機も知られている（特許文献３参照）。該特許文献３記載のパチンコ機にあっては、遊技球の流路を変化させる遊技球誘導装置が、盤面を流下する遊技球の流路を左右に変化させる風車と、該風車を駆動制御することで遊技球の流路を切換える駆動制御手段と、遊技球が通過したことを検出して駆動制御手段に信号を出力する遊技球通過検出手段とを備え、遊技球通過検出手段が遊技球の通過を検出したときに、駆動制御手段で風車に対する規制を切換えることで、遊技球を左右のいずれか一方向に振り分けるように構成している。
【０００６】
【特許文献１】特開２００１−０１７６２６号公報
【特許文献２】特開２００１−７０５２３号公報
【特許文献３】特開２００５−３０４８９２号公報
【発明の開示】
【発明が解決しようとする課題】
【０００７】
しかし、上記特許文献２及び３記載のパチンコ機によると、遊技球の流下方向を風車で変更させてその動きに面白味をもたせたり、一般入賞口や始動チャッカーへの入賞確率を高めて遊技者の興趣を向上させたりすることは可能になるものの、遊技者による止め打ちを抑止するようなことは難しい。例えば、所謂第１種パチンコ遊技機では、予め設定された所定数の保留球が溜まった状態では始動チャッカーに入賞しても大当たり抽選が実行されないため、遊技者は所定数の保留球が溜まった時点で発射を停止させ、保留球が消化されて所定数未満になった時点で発射を再開させるように遊技することがある。このように遊技する場合、遊技領域に打ち出される遊技球の割合が減少することで稼働が落ち、あまり好ましい状態とは言えない。
【０００８】
そこで本発明は、異なる２方向から当接する遊技球により風車を異なる２方向に回転させ得るようにし、かつ一方向からの遊技球が風車に当接するタイミングで他方向からの遊技球が風車に当接した際の該風車の回転で、一方向の遊技球を押し戻して例えば特定領域に移動させ得るように構成し、もって上述の課題を解消し得るようにした弾球遊技機を提供することを目的としている。
【課題を解決するための手段】
【０００９】
請求項１に係る本発明は（例えば図１ないし図４参照）、遊技盤（３）の遊技領域（３ａ）に、該遊技領域（３ａ）に打ち出された遊技球（Ｂａ）の流下状態に影響を与える風車（３３，３４又は５３，５４）を備えた弾球遊技機（１）において、
前記遊技領域（３ａ）に打ち出された遊技球（Ｂａ）を前記風車（３３，３４又は５３，５４）に対し略々水平方向に導いて該風車に当接させて該風車を第１方向（例えば時計回り方向）に回転させ得るように設けられた第１流路（３５，３６又は５５，５６）と、
前記遊技領域（３ａ）に打ち出された遊技球（Ｂａ）を前記風車（３３，３４又は５３，５４）に対し略々鉛直方向に導いて該風車に当接させて該風車を前記第１方向とは逆の第２方向（例えば反時計回り方向）に回転させ得るように設けられた第２流路（４９ｂ，５０ｂ又は８５，８６）と、を備え、
前記第１流路（３５，３６又は５５，５６）を転がり移動する第１の遊技球（Ｂａ）が前記風車（３３，３４又は５３，５４）の球受け板（３３ｂ，３４ｂ又は５３ｂ，５４ｂ）に当接した際の回転力より、前記第２流路（４９ｂ，５０ｂ又は８５，８６）を移動する第２の遊技球（Ｂａ）が前記風車（３３，３４又は５３，５４）の球受け板（３３ｂ，３４ｂ又は５３ｂ，５４ｂ）に当接した際の回転力が大きくなるように設定した、
ことを特徴とする弾球遊技機（１）にある。
【００１０】
請求項２に係る本発明は（例えば図１ないし図４参照）、前記遊技領域（３ａ）に、遊技者にとって有利な遊技状態への契機となる入球が行われる特定領域（２７）と、打ち出された遊技球（Ｂａ）を該特定領域（２７）に導くように誘導し得る遊技球案内手段（２３，６８）と、を備え、
前記遊技球案内手段（２３，６８）は、
前記特定領域（２７）に遊技球（Ｂａ）を案内するように設けられた案内部（３７，５７）の少なくとも一側に前記風車（３３，３４又は５３，５４）を有し、
該風車（３３，３４又は５３，５４）と前記案内部（３７，５７）との間に亘るように前記第１流路（３５，３６又は５５，５６）を有し、
該第１流路（３５，３６又は５５，５６）と略々直交する方向に延びて前記風車（３３，３４又は５３，５４）を前記第２方向（例えば反時計回り方向）に回転させ得るように前記第２流路（４９ｂ，５０ｂ又は８５，８６）を有してなり、
前記第１流路（３５，３６又は５５，５６）を転がり移動する前記第１の遊技球（Ｂａ）が前記風車（３３，３４又は５３，５４）の前記球受け板（３３ｂ，３４ｂ又は５３ｂ，５４ｂ）に当接したとき、前記第２流路（４９ｂ，５０ｂ又は８５，８６）を移動する前記第２の遊技球（Ｂａ）が前記風車の前記球受け板に当接すると、前記第１の遊技球（Ｂａ）が前記第１流路（３５，３６又は５５，５６）を逆流して前記特定領域（２７）に導かれるように振り分けられてなる、
請求項１記載の弾球遊技機（１）にある。
【００１１】
請求項３に係る本発明は（例えば図１ないし図３参照）、前記遊技球案内手段（例えば２３）が、前記風車（例えば３３，３４）、前記第１流路（例えば３５，３６）、及び前記第２流路（例えば４９ｂ，５０ｂ）をベース部材（２３ａ）に一体的に備えて構成されたユニット役物（２３）である、
請求項２記載の弾球遊技機（１）にある。
【００１２】
請求項４に係る本発明は（例えば図４参照）、前記遊技球案内手段（例えば６８）が、前記遊技盤（３）の盤面に配置された前記風車（例えば５３，５４）及び前記第１流路（例えば５５，５６）と、前記盤面に打ち込まれた障害釘（例えば８１〜８４）にて形成された前記第２流路（例えば８５，８６）とを備えて構成される、
請求項２記載の弾球遊技機（１）にある。
【００１３】
請求項５に係る本発明は（例えば図１ないし図４参照）、前記第１流路（３５，３６又は５５，５６）が、前記風車（３３，３４又は５３，５４）に向かって下降するように傾斜する第１傾斜面（３５ａ，３６ａ又は５５ａ，５６ａ）と、該第１傾斜面と前記案内部（３７又は５７）との間に位置し且つ該案内部に向かって下降するように傾斜する第２傾斜面（３５ｂ，３６ｂ又は５５ｂ，５６ｂ）とを備えて構成される、
請求項２ないし４のいずれか１項記載の弾球遊技機（１）にある。
【００１４】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１５】
請求項１に係る本発明によると、第１流路を転がり移動する第１の遊技球が風車の球受け板に当接した際の回転力より、第２流路を移動する第２の遊技球が風車の球受け板に当接した際の回転力が大きくなるように設定したので、異なる２方向から風車に向かって移動する遊技球の流れを常に作ることで、第１流路を移動してきた遊技球を、第２流路を移動してきた遊技球の当接による風車の回転で例えば特定領域に押し戻すようなタイミングを得ることができる。これにより、遊技上の興趣を高めることができると共に、遊技球を常に打ち出し続けるような状況を作り出し、止め打ちするような遊技を抑止し、稼働を上げることが可能となる。
【００１６】
請求項２に係る本発明によると、遊技領域に備えた遊技球案内手段は、特定領域に遊技球を案内するように設けられた案内部の少なくとも一側に風車を有し、風車と案内部との間に亘るように第１流路を有し、該第１流路と略々直交する方向に延びて風車を第２方向に回転させ得るように第２流路を有してなり、第１流路を転がり移動する第１の遊技球が風車の球受け板に当接したとき、第２流路を移動する第２の遊技球が風車の球受け板に当接すると、第１の遊技球が第１流路を逆流して特定領域に導かれるように振り分けられるので、第１流路からの遊技球が風車の球受け板に当接した際の回転力より、第２流路からの遊技球が風車の球受け板に当接した際の回転力を大きくすることができる構造を容易に実現することができ、風車に対する２方向から良好なタイミングで当接した際に一方向からの遊技球を、案内部を介して特定領域に到達させることか可能になり、遊技上の興趣を高めることができる。
【００１７】
請求項３に係る本発明によると、遊技球案内手段が、風車、第１流路、及び第２流路をベース部材に一体的に備えて構成されたユニット役物であるので、該ユニット役物を取り付けるだけで、風車、第１流路及び第２流路を簡単に遊技領域に配置することができ、従って、遊技機組立て時の作業工程を簡略化することができる。
【００１８】
請求項４に係る本発明によると、遊技球案内手段が、遊技盤の盤面に配置された風車及び第１流路と、盤面に打ち込まれた障害釘にて形成された第２流路とを備えて構成されるので、風車及び第１流路を盤面に配置し、障害釘を所定の位置に打ち込んで第２流路とするだけで、風車、第１流路及び第２流路を比較的簡単に遊技領域に設けることができる。
【００１９】
請求項５に係る本発明によると、第１流路が、風車に向かって下降するように傾斜する第１傾斜面と、該第１傾斜面と案内部との間に位置し且つ該案内部に向かって下降するように傾斜する第２傾斜面とを備えて構成されるので、風車に対して２方向から良好なタイミングで当接したことで一方向からの遊技球を第１傾斜面を介して第２傾斜面に押し戻す場合、該第２傾斜面の傾斜に沿って案内部に容易に進入させて特定領域に到達させることができる。
【発明を実施するための最良の形態】
【００２０】
以下、本発明に係る弾球遊技機の実施の形態として、遊技場等に設置されるパチンコ機を図に沿って説明する。なお、本実施の形態では、本発明の弾球遊技機を所謂第１種特別電動役物を使用したパチンコ機として述べるが、本発明はこれに限らず、所謂第２種特別電動役物や所謂第３種特別電動役物等を使用したパチンコ機にも適用可能である。
【００２１】
＜第１の実施の形態＞
本実施の形態におけるパチンコ機（弾球遊技機）１は、図１に示すように、発射ハンドル２の操作による発射装置（図示せず）の作動で遊技球（所謂パチンコ玉）を遊技盤３の遊技領域３ａに向かって打ち出しつつ遊技を行うもので、所謂確率変動等の大当たりが発生した状態でアタッカー５に入賞した遊技球に対応する数の遊技球を払い出すように構成されている。上記確率変動当たり（「確変当たり」とも言う）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。なお、図１は本パチンコ機の外部構造を示す正面図、図２は本パチンコ機から遊技盤を単体で分離した状態で示す正面図、図３は遊技盤からユニット役物を単体で分離した状態で示す正面図である。
【００２２】
本パチンコ機１は図１及び図２に示すように、開口を有する枠体状の筐体６と、遊技盤３を支持した形で筐体６に開閉可能に支持された前扉７とを有しており、前扉７の前面には、透明ガラス９を有するガラス枠１０が開閉可能に取り付けられている。透明ガラス９の奥側には、遊技盤３が配設されている。前扉７における遊技盤３の左右には演出用照明装置１１が配設されており、前扉７における上部左右、及び下部の皿ユニット１６の左右には、スピーカー（図示せず）を有する放音装置１２がそれぞれに配設されている。そして、前扉７の上部における両放音装置１２，１２の間には、演出用照明装置８０が配設されている。なお、筐体６及び前扉７等によりパチンコ機本体が構成されている。
【００２３】
また、ガラス枠１０における中央部右方には、前扉７を筐体６側に施錠又は解放し、或いは、ガラス枠１０を前扉７側に施錠又は解放するための施錠装置１３が配設されている。なお、図１中の符号１４は、不図示の発射装置によって打ち出された遊技球Ｂａを遊技領域３ａ側に案内するガイドレールを示している。本パチンコ機１には、遊技中に遊技領域３ａにて入賞することなく落下して、遊技領域３ａ下部のアウト口２８に進入した遊技球をパチンコ機背面側に導くアウト球通路（図示せず）が設けられている。
【００２４】
そして、前扉７における下部中央には皿ユニット１６が設けられており、皿ユニット１６における右上部には、賞球及び貸球を含む遊技球が供給される球供給口１７が設けられ、皿ユニット１６における右上部壁面には、球貸ボタン１９ａ及び返却ボタン１９ｂが設けられている。皿ユニット１６の中央部左方には、該皿ユニット１６上の遊技球を球発射装置（図示せず）付近から皿ユニット下部の球排出口（図示せず）を通して下方に排出するための第１球抜きボタン２０ａが配設されており、皿ユニット１６の中央部下方には、皿ユニット１６上の遊技球を球供給口１７付近から上記球排出口を通して下方に排出するための第２球抜きボタン２０ｂが配設されている。
【００２５】
また、前扉７における皿ユニット１６の右側下方の前壁部２９には、上記発射装置を操作して遊技球を遊技盤３の遊技領域３ａに向けて打ち出すための発射ハンドル２が設けられている。更に、皿ユニット１６の下部左方には、台座部１５と灰皿２１とが配設されており、台座部１５には、中央部に遊技参加ボタン２２が配設され、かつ該参加ボタン２２の左右に選択ボタン１８ａ，１８ｂがそれぞれ配設されている。
【００２６】
また、遊技領域３ａの中央部分には、ユニット役物（遊技球案内手段）２３が遊技盤３を前後方向に貫通する形で配設されている。ユニット役物２３の下部左右には、大当たり抽選に寄与しない一般の入賞が行われる一般入賞口２５，２６が配設されており、ユニット役物２３の下方には、大当たり抽選実行の契機となり得る入賞が行われる始動チャッカー（始動入賞口）２７と、大当たり発生時に開放して遊技領域３ａに打ち出される遊技球を入賞させるアタッカー５と、が順次配設されている。
【００２７】
始動チャッカー２７は、開放位置と閉止位置とに開閉動作するように始動チャッカー開閉ソレノイド（図示せず）によって作動させられる。始動チャッカー２７の直上方には、所謂命釘としての一対の障害釘８が打ち込まれている。
【００２８】
アタッカー５は、大当たり発生中、例えば、１回の開放で１０個の入賞（入球）を完了した時点で閉じ、当該開閉動作を１５回繰り返すように構成される。なお、これらの入球数並びに開閉動作の回数は、１０個や１５回に限定されることはなく、必要に応じて適宜設定され得るものである。
【００２９】
遊技盤３の前面側に形成された遊技領域３ａには、始動チャッカー２７の左右に、始動チャッカー２７を開閉動作させる抽選の契機となる遊技球通過が行われる役物であるスルーゲート３２がそれぞれ配設されている。
【００３０】
該遊技領域３ａにおけるスルーゲート３２、一般入賞口２５，２６及び始動チャッカー２７等の周囲には、ユニット役物２３に関与して傾斜面３５ａ，３６ａ（図２参照）から零れた遊技球や、発射されてからユニット役物２３に関与せずに落下してくる遊技球を適宜散らし、或いは入球（入賞）に導くようにするための障害釘４，８を含む多数の障害釘が打ち込まれている。
【００３１】
図２及び図３に示すように、ユニット役物２３は、全体的に略々矩形状を呈するベース部材２３ａを有しており、該ベース部材２３ａの上部中央には、遊技盤３側に固定された図柄表示装置３０の画面を露出する開口２４が形成されている。遊技盤３における該開口２４の上方には、最も高い中央部分から左右に末広がり状になるように連続的に多数の障害釘５１が打ち込まれている。上記ベース部材２３ａには、開口２４の左右にワープ導入口４５，４６が設けられ、左右の中央部分に、案内壁４９ａ及び球案内路４９ｂを有する球案内部４９と、案内壁５０ａ及び球案内路５０ｂを有する球案内部５０とが設けられている。ベース部材２３ａの上部左右及び球案内部４９，５０の左右には、それぞれに風車３１が回転自在に配置されている。上記ワープ導入口４５，４６の開口近傍には、一対ずつの障害釘４７と障害釘４８とがそれぞれ打ち込まれている。
【００３２】
ベース部材２３ａには、図柄表示装置３０の左側に位置するワープ導入口４５から導入された遊技球Ｂａを図柄表示装置３０の下部中央に案内する案内傾斜面４３ａ，４３ｂ，４３ｃと、球案内部４９の案内壁４９ａとで球案内路４９ｂを形成する案内壁４３ｄとを有する球案内部４３が一体に設けられている。また、ベース部材２３ａには、図柄表示装置３０の右側に位置するワープ導入口４６から導入された遊技球Ｂａを図柄表示装置３０の下部中央に案内する案内傾斜面４４ａ，４４ｂ，４４ｃと、球案内部５０の案内壁５０ａとで球案内路５０ｂを形成する案内壁４４ｄとを有する球案内部４４が一体に設けられている。上記案内傾斜面４３ａ，４３ｂ，４３ｃは、該案内傾斜面４３ｂの傾斜が最も大きく、次いで案内傾斜面４３ａ、案内傾斜面４３ｃの順に傾斜が緩くなるように構成されている。また、上記案内傾斜面４４ａ，４４ｂ，４４ｃは、該案内傾斜面４４ｂの傾斜が最も大きく、次いで案内傾斜面４４ａ、案内傾斜面４４ｃの順に傾斜が緩くなるように構成されている。
【００３３】
図柄表示装置３０の下部中央には、対向するように突出する案内傾斜面４３ｃと案内傾斜面４４ｃとの間に形成された落下開口５２と、該落下開口５２の下方にて該落下開口５２から落下した遊技球Ｂａを受けて下方に流下させる横長形状の球受け板３８とが設けられている。該球受け板３８は、中央部から左側に向けて緩く下降するように傾斜した傾斜面３８ａと、中央部から右側に向けて緩く下降するように傾斜した傾斜面３８ｂとを有している。ベース部材２３ａには、傾斜面３８ａの先端と所定の間隔をあけた状態で突出する突出部３９と、傾斜面３８ｂの先端と所定の間隔をあけた状態で突出する突出部４０とが設けられており、傾斜面３８ａの先端と突出部３９との間には落下開口４１が形成され、かつ傾斜面３８ｂの先端と突出部４０との間には落下開口４２が形成されている。
【００３４】
また、ベース部材２３ａには、球案内部４９，５０の下方に位置するように風車３３，３４が回転自在に配置されている。風車３３は、図３の紙面奥側に向けて突出してベース部材２３ａの左端部に打ち込まれた回転軸３３ａと、該回転軸３３ａを中心とする３方向に等角度間隔で放射状に設けられた球受け板３３ｂとを有している。風車３４は、図３の紙面奥側に向けて突出してベース部材２３ａの右端部に打ち込まれた回転軸３４ａと、該回転軸３４ａを中心とする３方向に等角度間隔で放射状に設けられた球受け板３４ｂとを有している。
【００３５】
そして、ベース部材２３ａにおける最下部には、傾斜面３８ａ及び突出部３９の下方に位置するように一体形成された転動板部材３５と、傾斜面３８ｂ及び突出部４０の下方に位置するように一体形成された転動板部材３６とが設けられている。これら転動板部材３５，３６は、中央部に落下開口（案内部）３７をあけた状態で水平方向に並ぶように設けられている。転動板部材３５は、傾斜面３８ａを介して落下開口４１から落下してくる遊技球Ｂａを受けて転動させる傾斜面３５ａ，３５ｂを有しており、転動板部材３６は、傾斜面３８ｂを介して落下開口４２から落下してくる遊技球Ｂａを受けて転動させる傾斜面３６ａ，３６ｂを有している。上記落下開口３７は、始動チャッカー２７の上側に打ち込まれた一対の障害釘（所謂命釘）８，８の直上方に位置するように設けられており、該落下開口３７から落下した遊技球Ｂａは、高い確率で障害釘８，８の間を通過して始動チャッカー２７に入賞し得る。
【００３６】
転動板部材３５の傾斜面３５ａは、左方に位置する風車３３に向かって緩く下降するように傾斜し、傾斜面３５ｂは、右方に位置する落下開口３７に向かって緩く下降するように傾斜している。また、転動板部材３６の傾斜面３６ａは、右方に位置する風車３４に向かって緩く下降するように傾斜し、傾斜面３６ｂは、左方に位置する落下開口３７に向かって緩く下降するように傾斜している。転動板部材３５は、傾斜面３５ａの先端部が、該傾斜面３５ａを転がり移動する遊技球Ｂａを風車３３の球受け板３３ｂに当接させ得る程度の距離をあけるように配置され、かつ転動板部材３６は、傾斜面３６ａの先端部が、該傾斜面３６ａを転がり移動する遊技球Ｂａを風車３４の球受け板３４ｂに当接させ得る程度の距離をあけるように配置されている。
【００３７】
傾斜面３５ｂは、上方から球受け板３８を通して視認した際に傾斜面３８ａと重なるように設けられ、通常の状態で落下開口４１から落下してくる遊技球Ｂａは到達できず、傾斜面３８ａの先端部下方にて該傾斜面３５ｂと接続される傾斜面３５ａ側に落下した後、風車３３の球受け板３３ｂで押し戻された遊技球Ｂａが到達し得るように構成されている。また、傾斜面３６ｂは、上方から球受け板３８を通して視認した際に傾斜面３８ｂと重なるように設けられ、通常の状態で落下開口４２から落下してくる遊技球Ｂａは到達できず、傾斜面３８ｂの先端部下方にて該傾斜面３６ｂと接続される傾斜面３６ａ側に落下した後、風車３４の球受け板３４ｂで押し戻された遊技球Ｂａが到達し得るように構成されている。なお、本実施の形態において、上記転動板部材３５，３６は本発明に係る第１流路を構成し、上記球案内路４９ｂ，５０ｂは本発明に係る第２流路を構成している。
【００３８】
以上のように、本実施の形態では、遊技領域３ａに打ち出された遊技球Ｂａを風車３３，３４に対し略々水平方向に導いて該風車３３，３４に当接させ該風車３３，３４を第１方向（本実施形態では時計回り方向）に回転させ得るように設けられた転動板部材３５，３６（第１流路）と、遊技領域３ａに打ち出された遊技球Ｂａを風車３３，３４に対し略々鉛直方向に（流下するように）導いて該風車３３，３４に当接させ該風車３３，３４を上記第１方向とは逆の第２方向（本実施形態では反時計回り方向）に回転させ得るように設けられた球案内路４９ｂ，５０ｂ（第２流路）とを備える。そして、転動板部材３５，３６を転がり移動する遊技球Ｂａが風車３３，３４の球受け板３３ｂ，３４ｂに当接した際の回転力（回転エネルギー）より、球案内路４９ｂ，５０ｂを移動する遊技球Ｂａが風車３３，３４の球受け板３３ｂ，３４ｂに当接した際の回転力（回転エネルギー）が大きくなるように設定されている。
【００３９】
つまり、緩い傾斜はあるものの略々水平方向に延びる転動板部材３５，３６を転がり移動する遊技球Ｂａは、転がり時の摩擦による減速方向の力が働き、また球案内路４９ｂ，５０ｂでの鉛直方向に流下（落下）する際のような重力加速度による力の影響が極めて少ないため、転がり時の摩擦による減速方向の力の影響が極めて少なく、かつ鉛直方向に流下して重力加速度による増速方向の力を多く受ける球案内路４９ｂ，５０ｂを流下する遊技球Ｂａに比して、球受け板３３ｂ，３４ｂに当接した際に風車３３，３４に与える回転力は小さい。
【００４０】
このような本パチンコ機１では、遊技領域３ａに打ち出された遊技球Ｂａを始動チャッカー２７等に、ユニット役物２３を介して入球させ又は該ユニット役物２３を介さず直接入球させ得るように遊技が進められる。
【００４１】
なお、上記「ワープ導入」という語句は、遊技領域３ａに打ち出された遊技球を、当該遊技領域３ａの比較的下側に位置する不図示の道釘等を経ることなく、始動チャッカー２７の上に導くことを意味する概念である。また、上記「道釘」とは、遊技領域３ａにおいて始動チャッカー２７左右に打ち込まれた複数本の障害釘の列を意味するもので、上方から転動落下してきた遊技球を始動チャッカー２７方向に導く役割を担っている。
【００４２】
次に、本パチンコ機１による作用について説明する。
【００４３】
本パチンコ機１に対面して着座した遊技者が、発射ハンドル２を握って適宜の角度に回動操作すると、不図示の発射装置が作動して、遊技球を所定の時間間隔で遊技領域３ａに向けて連続的に発射させる。すると、遊技領域３ａに打ち出されて転動落下する多数の遊技球Ｂａは、始動チャッカー２７や一般入賞口２５，２６等に適時入賞したり、或いは、これらに関与せずに転動落下して、遊技領域３ａ最下部のアウト口２８から遊技盤３の背面側に排出される。
【００４４】
つまり、遊技領域３ａに向けて打ち出された多数の遊技球Ｂａは、その一部がワープ導入口４５，４６から導入されて、案内傾斜面４３ａ〜４３ｃ或いは案内傾斜面４４ａ〜４４ｃを経由し、傾斜面３８ａや傾斜面３８ｂを介して傾斜面３５ａや傾斜面３６ａに落下し、その後、風車３３や風車３４側に転がり移動して傾斜面３５ａや傾斜面３６ａの端部から下方に落下して遊技領域３ａを再び流下し、或いは、タイミング良く球案内路４９ｂや球案内路５０ｂを流下してきた別の遊技球Ｂａが球受け板３３ｂや球受け板３４ｂに衝突して逆方向に強く回転した風車３３や風車３４に押し戻されて傾斜面３５ｂや傾斜面３６ｂを介して落下開口３７に進入して始動チャッカー２７に向け落下し、高確率で入賞する。この際、障害釘８への当接状況によっては、始動チャッカー２７に入賞できないこともある。
【００４５】
上述のワープ導入口４５，４６から入球した遊技球Ｂａの動作について、図３を参照して詳細に説明する。
【００４６】
すなわち、図３に示すように、例えばワープ導入口４６に入球した遊技球Ｂａ１は、案内傾斜面４４ａ，４４ｂ，４４ｃの順にそれぞれの傾斜に沿って流下し、落下開口５２を通って球受け板３８側に放出される。その際、該遊技球Ｂａ１は、案内傾斜面４４ｃを流下するときの慣性（イナーシャ）で、傾斜面３８ａを速やかに転がり移動し、落下開口４１を通って傾斜面３５ａに着地し（Ｂａ２）、矢印Ａのように風車３３に向かって勢い良く転動する。この際、球案内路４９ｂを矢印Ｂ方向に流下する遊技球Ｂａ３が風車３３の左斜め上方に向いた球受け板３３ｂに当接するタイミングで、下側に向いた球受け板３３ｂに傾斜面３５ａ側から転動する遊技球Ｂａ４が当接すると、該遊技球Ｂａ４は、球受け板３３ｂに当接して風車３３を反時計回り方向に回転させようとする遊技球Ｂａ３に打ち負けて、矢印Ｃ方向に押し戻されて転動する（Ｂａ５）。
【００４７】
このため、該遊技球Ｂａ５は、傾斜面３５ｂの傾斜に沿って落下開口３７に進入し（Ｂａ６）、始動チャッカー２７に向けて落下する。この際、後続して傾斜面３５ａ，３６ａに流下する遊技球Ｂａがある場合は、該後続の遊技球Ｂａに対し、傾斜面３５ｂ，３６ｂ側に戻ろうとする遊技球Ｂａ５が当接することで、後続の遊技球Ｂａが落下開口３７に落下することになり、戻ろうとする遊技球Ｂａ５の勢いが強い場合には該遊技球Ｂａ５も落下開口３７に落下することになる。
【００４８】
なお、風車３３，３４は、図示するように球受け板３３ｂ，３４ｂの１つが垂下し且つ他の２つの球受け板３３ｂ，３４ｂが左右斜め上方に向く状態に常になっている訳ではないが、回転が終了した際に図示のような状態になっていると、傾斜面３５ａ，３６ａから当接する遊技球Ｂａを、球案内路４９ｂ，５０ｂを流下する遊技球Ｂａのエネルギーで押し戻す効果を最大限発揮することが可能になる。
【００４９】
一方、風車３３の球受け板３３ｂに遊技球Ｂａ４が当接するタイミングで、上方からの遊技球Ｂａ３が球受け板３３ｂに当接しない場合は、遊技球Ｂａ４は、風車３３を単に時計回り方向に回転させて、傾斜面３５ａ端部から遊技領域３ａ側に落下するだけとなる。また、風車３３の球受け板３３ｂに上方から遊技球Ｂａ３が当接したタイミングで、傾斜面３５ａからの遊技球Ｂａ４が球受け板３３ｂに当接しない場合、遊技球Ｂａ３は、風車３３を単に反時計回り方向に回転させて、そのまま遊技領域３ａ側に落下するだけとなる。
【００５０】
これら遊技球Ｂａの動きは、ワープ導入口４５側から入球した場合には、上記と反対側で行われることになり、案内傾斜面４３ａ，４３ｂ，４３ｃを順に流下した遊技球Ｂａは、傾斜面３８ｂを介して傾斜面３６ａ側に着地した後、風車３４に対して上記と同様に作用することになる。
【００５１】
ところで、始動チャッカー２７に入賞した場合、その時点での保留球数が所定数未満であれば、乱数カウンタを用いた大当たり抽選が行われるが、該抽選で当選した場合、更に、大当たりの種別に対応する変動パターンが決定される。これにより、遊技領域３ａに備えられた不図示の図柄表示装置に表示されるべき当たり図柄がセットされる。一方、大当たり抽選で外れた場合には、変動の結果、外れに対応する図柄が最終的に揃う旨の変動パターンが決定され、図柄表示装置に表示される外れ図柄がセットされる。
【００５２】
そして、図柄表示装置３０に表示すべき演出内容に関する信号に基づき、該図柄表示装置３０が駆動され、大当たり抽選結果に関する内容等が演出表示される。図柄表示装置３０の画面上に表れた抽選結果が大当たり決定である場合、アタッカー５が開放され、所定数入賞が終了する（又は所定時間が経過する）毎に閉塞する動作を所定ラウンド数だけ繰り返される。
【００５３】
以上のように本実施形態によると、転動板部材（第１流路）３５，３６を転がり移動する遊技球（第１の遊技球）Ｂａが風車３３，３４の球受け板３３ｂ，３４ｂに当接した際の回転力より、球案内路（第２流路）４９ｂ，５０ｂを移動する遊技球（第２の遊技球）Ｂａが球受け板３３ｂ，３４ｂに当接した際の回転力が大きくなるように設定したので、異なる図３矢印Ａ方向と図３矢印Ｂ方向から風車３３，３４に向かって移動する遊技球Ｂａの流れを常に作ることで、転動板部材３５，３６を移動してきた遊技球Ｂａを、球案内路４９ｂ，５０ｂを移動してきた遊技球Ｂａの当接による風車３３，３４の回転で始動チャッカー（特定領域）２７側に押し戻すようなタイミングを得ることができる。これにより、遊技上の興趣を高めることができると共に、遊技球Ｂａを常に打ち出し続けるような状況を作り出し、止め打ちするような遊技を抑止し、稼働を上げることが可能となる。上記特定領域とは、遊技者にとって有利な遊技状態への契機となる入球が行われる部位、即ち、本実施形態では始動チャッカー２７を示している。
【００５４】
また、本実施形態によると、遊技領域３ａに備えた遊技球案内手段が、始動チャッカー２７に遊技球Ｂａを案内するように設けられた落下開口（案内部）３７の両側に風車３３，３４を有し、風車３３，３４と落下開口３７との間に亘るように転動板部材３５，３６を有し、該転動板部材３５，３６と略々直交する方向に延びて風車３３，３４を上記第２方向（反時計回り方向）に回転させ得るように球案内路４９ｂ，５０ｂを有してなり、転動板部材３５，３６を転がり移動する遊技球Ｂａが風車３３，３４の球受け板３３ｂ，３４ｂに当接したとき、球案内路４９ｂ，５０ｂを移動する遊技球Ｂａが球受け板３３ｂ，３４ｂに当接すると、転動板部材３５，３６を転がり移動してきた遊技球Ｂａが該転動板部材３５，３６を逆流して始動チャッカー２７に導かれるように振り分けられる。このため、転動板部材３５，３６からの遊技球Ｂａが風車３３，３４の球受け板３３ｂ，３４ｂに当接した際の回転力より、球案内路４９ｂ，５０ｂからの遊技球Ｂａが球受け板３３ｂ，３４ｂに当接した際の回転力を大きくすることができる構造を容易に実現できる。そして、風車３３，３４に対して２方向から良好なタイミングで当接した際に一方向からの遊技球Ｂａを、落下開口３７を介して始動チャッカー２７に到達させることか可能になり、遊技上の興趣を高めることができる。
【００５５】
また、転動板部材３５，３６からの遊技球Ｂａを、球案内路４９ｂ，５０ｂからの遊技球Ｂａの当接による風車３３，３４の回転で落下開口３７側に押し戻すタイミングは、それほど多くは発生せず、従って、始動チャッカー２７等の特定領域への通過率等の振り分け率を比較的低く抑えることが可能になる。なお、本実施形態では、落下開口３７の両側に風車３３，３４を配置したが、これに限らず、風車は落下開口３７の少なくとも一側に配置されていれば上述のような遊技が可能になる。
【００５６】
更に、本実施形態によると、本発明に係る遊技球案内手段が、風車３３，３４、転動板部材３５，３６、及び球案内路４９ｂ，５０ｂをベース部材２３ａに一体的に備えて構成されたユニット役物２３であるので、該ユニット役物２３を取り付けるだけで、風車３３，３４、転動板部材３５，３６及び球案内路４９ｂ，５０ｂを簡単に遊技領域３ａに配置することができ、従って、パチンコ機１の組立て時の作業工程を簡略化することができる。
【００５７】
そして、本実施形態によると、転動板部材３５，３６が、風車３３，３４に向かって下降するように傾斜する傾斜面３５ａ，３６ａと、該傾斜面３５ａ，３６ａと落下開口３７との間に位置し且つ該落下開口３７に向かって下降するように傾斜する傾斜面３５ｂ，３６ｂとを備えて構成されるので、風車３３，３４に対し２方向から良好なタイミングで当接したことで一方向からの遊技球Ｂａを傾斜面３５ａ，３６ａを介して傾斜面３５ｂ，３６ｂに押し戻す場合、該傾斜面３５ｂ，３６ｂの傾斜に沿って落下開口３７に容易に進入させて始動チャッカー２７に到達させることができる。
【００５８】
＜第２の実施の形態＞
ついで、本発明に係る遊技球案内手段を、遊技盤３の盤面に固定された風車５３，５４と、第１流路を成す傾斜面５５ａ，５６ａと、盤面に打ち込まれた障害釘８１，８２，８３，８４により形成された第２流路を成す球案内路８５，８６とにより構成した、本発明に係る第２の実施形態について図４を参照して説明する。なお、本第２の実施形態は、図１ないし図３に示した第１の実施形態に比して、ユニット役物２３を、障害釘等で構成した遊技球案内手段に変更した点が異なるだけで、他の部分は略々同一であるため、主要部分に同一符号を付して説明を省略する。
【００５９】
すなわち、本実施の形態における遊技球案内手段６８は、図４に示すように、遊技盤３の略々中央部分に、遊技盤３側に固定された図柄表示装置３０の画面を露出する開口６７が形成されており、該開口６７の上方には、最も高い中央部分から左右に末広がり状になるように連続的に多数の障害釘５１が打ち込まれている。それら多数の障害釘５１の下端部のものに隣接するように、所定の間隔をあけて打ち込まれた一対ずつの障害釘６５及び障害釘６６が配置されている。一対の障害釘６５により、開口６７の左側に位置するワープ導入口６９が形成され、一対の障害釘６６により、開口６７の右側に位置するワープ導入口７０が形成されている。
【００６０】
第１の実施形態と同じ位置にある始動チャッカー２７の直上方には、第１の実施形態と略々同形状の転動板部材５５，５６が、中央部に設けられた落下開口（案内部）５７を始動チャッカー２７の上部近傍の障害釘８，８に対向させるように位置決めされて固定されている。なお、本実施の形態における上記転動板部材５５，５６は、第１の実施形態では転動板部材３５と転動板部材３６が落下開口３７をあけた状態でベース部材２３ａに別々に設けられていたのに対し、相互に一体的に構成されてその中央部に落下開口５７が形成されている。
【００６１】
転動板部材５５は、障害釘列４８を介して落下開口６１から落下してくる遊技球Ｂａを受けて転動させる傾斜面５５ａ，５５ｂを有しており、転動板部材５６は、障害釘列４８を介して落下開口６２から落下してくる遊技球Ｂａを受けて転動させる傾斜面５６ａ，５６ｂを有している。上記落下開口５７は、始動チャッカー２７の上側に打ち込まれた一対の障害釘８，８の直上方に位置するように設けられており、該落下開口５７から落下した遊技球Ｂａは、高い確率で障害釘８，８の間を通過して始動チャッカー２７に入賞し得る。
【００６２】
転動板部材５５の傾斜面５５ａは前述の傾斜面３５ａと同様の傾斜を有し、転動板部材５５の傾斜面５５ｂは前述の傾斜面３５ｂと同様の傾斜を有し、転動板部材５６の傾斜面５６ａは前述の傾斜面３６ａと同様の傾斜を有し、転動板部材５６の傾斜面５６ｂは前述の傾斜面３６ｂと同様の傾斜を有している。また、傾斜面５５ｂは、上方から障害釘列４８を通して視認した際に該障害釘列４８の左側部分と重なるように設けられ、通常の状態で落下開口６１から落下してくる遊技球Ｂａは到達できず、障害釘列４８の左側部分の下方にて該傾斜面５５ｂと接続される傾斜面５５ａ側に落下した後、風車５３の球受け板５３ｂで押し戻された遊技球Ｂａが到達できるように構成されている。傾斜面５６ｂは、上方から障害釘列４８を通して視認した際に該障害釘列４８と重なるように設けられ、通常の状態で落下開口６２から落下してくる遊技球Ｂａは到達できず、障害釘列４８の右側部分の下方にて該傾斜面５６ｂと接続される傾斜面５６ａ側に落下した後、風車５４の球受け板５４ｂで押し戻された遊技球Ｂａが到達できるように構成されている。
【００６３】
なお、本実施形態では、上記転動板部材５５，５６によって本発明に係る第１流路が構成され、上記球案内路８５，８６によって本発明に係る第２流路が構成されている。
【００６４】
また、転動板部材５５の左方及び転動板部材５６の右方には、それぞれ風車５３，５４が回転自在に配置されている。これら風車５３，５４は、第１の実施形態のものと同様の構成を有している。風車５３は、図４の紙面奥側に向けて突出して遊技盤３における転動板部材５５の左端部近傍に打ち込まれた回転軸５３ａと、該回転軸５３ａを中心とする３方向に等角度間隔で放射状に設けられた球受け板５３ｂとを有している。風車５４は、図４の紙面奥側に向けて突出して遊技盤３における転動板部材５６の右端部近傍に打ち込まれた回転軸５４ａと、該回転軸５４ａを中心とする３方向に等角度間隔で放射状に設けられた球受け板５４ｂとを有している。
【００６５】
遊技盤３には、ワープ導入口６９から風車５３に向かって略々鉛直方向に延びるように多数の障害釘８２が打ち込まれており、該障害釘８２の列により、第１の実施形態における案内壁４３ｄと同様の機能が得られる。更に、遊技盤３には、ワープ導入口７０から風車５４に向かって略々鉛直方向に延びるように多数の障害釘８４が打ち込まれており、該障害釘８４の列により、第１の実施形態における案内壁４４ｄと同様の機能が得られる。また、障害釘８２の列から所定距離を離して平行になるように多数の障害釘８１が打ち込まれており、該障害釘８１の列により、第１の実施形態における案内壁４９ａと同様の機能が得られる。更に、障害釘８４の列から所定距離を離して平行になるように多数の障害釘８３が打ち込まれており、該障害釘８３の列により、第１の実施形態における案内壁５０ａと同様の機能が得られる。
【００６６】
また、遊技盤３には、ワープ導入口６９から導入された遊技球Ｂａを図柄表示装置３０の下部中央に案内する前述の案内傾斜面４３ａに相当する障害釘列６３ａ、前述の案内傾斜面４３ｂに相当する障害釘列６３ｂ、及び前述の案内傾斜面４３ｃに相当する障害釘列６３ｃがそれぞれ打ち込まれている。更に、遊技盤３には、ワープ導入口７０から導入された遊技球Ｂａを図柄表示装置３０の下部中央に案内する前述の案内傾斜面４４ａに相当する障害釘列６４ａ、前述の案内傾斜面４４ｂに相当する障害釘列６４ｂ、及び前述の案内傾斜面４４ｃに相当する障害釘列６４ｃがそれぞれ打ち込まれている。上記障害釘列６３ａ，６３ｂ，６３ｃは、該障害釘列６３ｂの傾斜が最も大きく、次いで障害釘列６３ａ、障害釘列６３ｃの順に傾斜が緩くなるように構成されている。また、上記障害釘列６４ａ，６４ｂ，６４ｃは、該障害釘列６４ｂの傾斜が最も大きく、次いで障害釘列６４ａ、障害釘列６４ｃの順に傾斜が緩くなるように構成されている。
【００６７】
図柄表示装置３０の下部中央には、障害釘列６３ｃ，６４ｃの中央部の落下開口６４の下方にて該落下開口６４から落下した遊技球Ｂａを受けて下方に流下させる横長形状となるように遊技盤３に打ち込まれ、前述の球受け板３８に相当する障害釘列４８が設けられている。該障害釘列４８は、前述の傾斜面３８ａ及び傾斜面３８ｂと同様の形状となるように、中央部から左右に向かって緩く下降するように傾斜している。更に、遊技盤３における風車５３と障害釘列４８との間には、前述した突出部３９に相当する障害釘列５９が打ち込まれており、風車５４と障害釘列４８との間には、前述した突出部４０に相当する障害釘列６０が打ち込まれている。障害釘列４８と障害釘列５９との間には落下開口６１が形成され、かつ障害釘列４８と障害釘列６０との間には落下開口６２が形成されている。
【００６８】
以上の本第２の実施形態によっても、前述した第１の実施形態と略々同様の作用効果を得ることができると共に、遊技盤３に障害釘を打ち込むことで遊技球案内手段６８を具現化することができるため、設計上の自由度が高くなるという効果を得ることができる。そして、遊技球案内手段が、遊技盤３の盤面に配置された風車５３，５４及び転動板部材５５，５６と、盤面に打ち込まれた障害釘８１，８２，８３，８４にて形成された流路とを備えて構成されるので、風車５３，５４及び転動板部材５５，５６を盤面に配置し、障害釘８１〜８４を所定の位置に打ち込んで流路を形成するだけで、これら遊技部品を比較的簡単に遊技領域３ａに設けることができる。
【００６９】
ここで、本発明を適用し得る変形例について図５を参照して説明する。図５は、内部機構を視認できるように前面の蓋体を除去すると共に全体を拡大して示すアタッカー５の模式図である。なお、本変形例におけるアタッカー５の構造は、所謂第２種特別電動役物を使用したパチンコ機のアタッカーにも適用可能であることは勿論である。
【００７０】
本変形例では、球案内路（第２流路）７７ａ，７７ｂを流下する遊技球Ｂａのエネルギーを受けて回転する風車７８，７９により、転動板部材（第１流路）７１，７２の傾斜面７１ａ，７２ａを転がり移動してきた遊技球Ｂａを、落下開口７３側に移動できるようにするため、以下のように構成している。
【００７１】
すなわち、図５に示すように、アタッカー５の内部空間５ａには、左右端部に、それぞれ回転軸７８ａ，７９ａで回転自在に支持された風車７８，７９が配置されると共に、これら風車７８，７９の中間部に落下開口７３が設けられ、該落下開口７３の下方に、特定領域であるＶ入賞口７４が設けられている。該Ｖ入賞口７４には、該Ｖ入賞口７４に入賞した遊技球Ｂａを検知してＶ入賞信号を出力する検知センサが配置されている。
【００７２】
ここで、本パチンコ機１では、１回の大当たり時にアタッカー５を所定回数（例えば１５回、つまり１５ラウンド）だけ、前面の蓋体（図示せず）を開閉させ、その開放時に所定球数（例えば９個）が入賞し又は所定時間（例えば３０秒間）が経過した時点で閉止するように構成されているが、本変形例は、このようなアタッカー５の開閉条件をやや変更した上で、該アタッカー５の内部に、本発明を適用したユニット役物を配置するものである。つまり、本変形例では、大当たり中の１ラウンド中に遊技球が例えば１０球入賞する間、又は所定時間が経過する間に、１球以上の遊技球が上記Ｖ入賞口７４に入賞しない場合には、大当たりが継続されず、大当たり消化の途中で大当たりが終了するように構成される。
【００７３】
このような構成において、アタッカー５の内部空間５ａには、風車７８とＶ入賞口７４との間に転動板部材７１が略々水平方向に配置され、かつ風車７９とＶ入賞口７４との間に転動板部材７２が略々水平方向に配置されている。転動板部材７１は、左右方向に連続するように形成された傾斜面７１ａ，７１ｂを有し、転動板部材７２は、左右方向に連続するように形成された傾斜面７２ａ，７２ｂを有している。傾斜面７１ａは、左方に位置する風車７８に向かって緩く下降するように傾斜し、傾斜面７１ｂは、右方に位置するＶ入賞口７４に向かって緩く下降するように傾斜している。傾斜面７２ａは、右方に位置する風車７９に向かって緩く下降するように傾斜し、傾斜面７２ｂは、左方に位置するＶ入賞口７４に向かって緩く下降するように傾斜している。転動板部材７１は、傾斜面７１ａの先端部が、該傾斜面７１ａを転がり移動する遊技球Ｂａを風車７８の球受け板７８ｂに当接させ得る程度の距離をあけるように配置され、かつ転動板部材７２は、傾斜面７２ａの先端部が、該傾斜面７２ａを転がり移動する遊技球Ｂａを風車７９の球受け板７９ｂに当接させ得る程度の距離をあけるように配置されている。
【００７４】
また、上記転動板部材７１，７２の上方には、Ｖ入賞口７４の上方が最も高くされ、この高い部分から左右の風車７８，７９に向かって下降するように傾斜する傾斜面７７ａ，７７ｂを有する傾斜板部材７７が配置されている。また、風車７８，７９それぞれの下部には、Ｖ入賞口７４に入賞できなかった遊技球Ｂａを検知して外れ信号を出力する検知センサ７５，７６が配置されている。
【００７５】
そして、風車７８と傾斜面７７ａの上方には、中央部分から左右に傾斜する形状の傾斜板部材８７が配置されており、風車７９と傾斜面７７ｂの上方には、中央部分から左右に傾斜する形状の傾斜板部材８８が配置されている。傾斜板部材８７は、中央部分から傾斜板部材７７に向かって下降するように傾斜する傾斜面８７ａと、中央部分から風車７８の左外周側に向かって下降するように傾斜する傾斜面８７ｂとを有している。傾斜板部材８８は、中央部分から傾斜板部材７７に向かって下降するように傾斜する傾斜面８８ａと、中央部分から風車７９の右外周側に向かって下降するように傾斜する傾斜面８８ｂとを有している。更に、傾斜面８７ａと傾斜面８８ａとの間には、これら傾斜面８７ａ，８８ａを流下する遊技球Ｂａ７，Ｂａ８を傾斜板部材７７に落下させる落下開口８９が形成されている。
【００７６】
つまり、本変形例においては、遊技球Ｂａを風車７８，７９に対し略々水平方向に導いて該風車７８，７９に当接させ該風車７８，７９を第１方向（風車７８は時計回り方向、風車７９は反時計回り方向）に回転させ得るように設けられた転動板部材（第１流路）７１，７２と、遊技球Ｂａを風車７８，７９に対し略々鉛直方向に導いて該風車７８，７９に当接させ該風車７８，７９を第２方向（風車７８は反時計回り方向、風車７９は時計回り方向）に回転させ得るように設けられた傾斜面（第２流路）８７ｂ，８８ｂとを備える。
【００７７】
以上の構成を備える本変形例では、大当たり発生時にアタッカー５が開放されて図５に示すようになると、内部空間５ａに飛び込んだ遊技球Ｂａは傾斜板部材８７か傾斜板部材８８上に載り、その際の位置に応じて傾斜面８７ｂ上を風車７８側に転がり移動し、或いは、傾斜面８８ｂ上を風車７９側に転がり移動する。傾斜面８７ｂ上を風車７８側に転がり移動した遊技球（Ｂａ１１，Ｂａ１２）は検知センサ７５側に落下し、傾斜面８８ｂ上を風車７９側に転がり移動した遊技球（Ｂａ１３）は検知センサ７６側に落下する。
【００７８】
また或いは、傾斜面８７ａ上を落下開口８９側に転がり移動し（Ｂａ７）、該落下開口８９から傾斜板部材７７の傾斜面７７ｂに落下し転がり移動した遊技球（Ｂａ１４）は、更に傾斜面７２ａに落下し、風車７９側に転がり移動する（Ｂａ１５）。或いは、傾斜面８８ａ上を落下開口８９側に転がり移動し（Ｂａ８）、該落下開口８９から傾斜板部材７７の傾斜面７７ａに落下し転がり移動した遊技球（Ｂａ９）は、更に傾斜面７１ａに落下し、風車７８側に転がり移動する（Ｂａ１０）。また、転動板部材７１の傾斜面７１ｂ上に遊技球が載った場合には、該傾斜面７１ｂを転がり移動してＶ入賞口７４に入賞したり、傾斜面７２ｂ上に遊技球が載った場合には、該傾斜面７２ｂを転がり移動してＶ入賞口７４に入賞したりする。
【００７９】
例えば、内部空間５ａに飛び込んで傾斜面７１ａに載った遊技球Ｂａ10が該傾斜面７１ａ上を風車７８に向けて転がり移動して風車７８の下側を向いた球受け板７８ｂに当接する際に、傾斜面８７ｂ上を流下する遊技球Ｂａ1２が左上方を向いた球受け板７８ｂにタイミング良く当接して風車７８が反時計回り方向に回転する場合、上記遊技球Ｂａ10が風車７８の球受け板７８ｂに当接した際の回転力より、上記遊技球Ｂａ1２が風車７８の球受け板７８ｂに当接した際の回転力が大きくなる。このため、遊技球Ｂａ10が遊技球Ｂａ1２の当接時の回転力に打ち負けて押し戻されて（逆流して）Ｖ入賞口７４側に転がり移動する。これにより、該遊技球Ｂａ10は、傾斜面７１ｂの傾斜に沿って落下開口７３側に移動し、Ｖ入賞口７４に落下して検知センサによって検知される。この際、後続して傾斜面７１ａを流下する遊技球がある場合は、該後続の遊技球に対し、Ｖ入賞口７４側に戻ろうとする遊技球Ｂａ10が当接することで、該後続の遊技球がＶ入賞口７４に落下することになり、戻ろうとする遊技球Ｂａ10の勢いが強い場合には該遊技球Ｂａ10もＶ入賞口７４に落下することになる。
【００８０】
以上、本発明をその好適な実施の形態及び変形例に基づいて説明したが、本発明の弾球遊技機は、上記実施形態及び変形例の構成にのみ限定されるものではなく、上記実施形態及び変形例の構成から種々の修正及び変更を施した弾球遊技機も、本発明の範囲に含まれる。
【図面の簡単な説明】
【００８１】
【図１】本発明に係るパチンコ機の外部構造を示す正面図である。
【図２】第１の実施形態における遊技盤を単体で分離した状態で示す正面図である。
【図３】第１の実施形態におけるユニット役物を示す正面図である。
【図４】第２の実施形態における遊技盤を単体で分離した状態で示す正面図である。
【図５】内部機構を視認できるように前面の蓋体を除去すると共に全体を拡大して示すアタッカーの模式図である。
【符号の説明】
【００８２】
１    弾球遊技機（パチンコ機）
３    遊技盤
３ａ    遊技領域
２３    遊技球案内手段（ユニット役物）
２３ａ    ベース部材
２７    特定領域（始動チャッカー）
３３，３４    風車
３３ｂ，３４ｂ    球受け板
３５，３６    第１流路（転動板部材）
３５ａ，３６ａ    第１傾斜面（傾斜面）
３５ｂ，３６ｂ    第２傾斜面（傾斜面）
３７，５７    案内部（落下開口）
４９ｂ，５０ｂ    第２流路（球案内路）
５３，５４    風車
５３ｂ，５４ｂ    球受け板
５５，５６    第１流路（転動板部材）
５５ａ，５６ａ    第１傾斜面（傾斜面）
５５ｂ，５６ｂ    第２傾斜面（傾斜面）
６８    遊技球案内手段
８１〜８４    障害釘
８５，８６    第２流路（球案内路）
Ｂａ    遊技球
【図１】
2010131141.tif 000003
【図２】
2010131141.tif 000004
【図３】
2010131141.tif 000005
【図４】
2010131141.tif 000006
【図５】
2010131141.tif 000007